(57)【要約】  航空管制においてフライトプランをより早く把握する。  航空管制支援システム３は、学習部１００、及び、予測部２００を含む。学習部１００は、過去のフライトプランと、当該過去のフライトプランの策定に影響を与えた情報と、を含む学習データに基づいて、予測モデルを生成する。予測部２００は、フライトプランの策定に影響を与える情報と、予測モデルと、に基づいて、フライトプランを予測する。
2018034142.tif 000002
【特許請求の範囲】
【請求項１】
過去のフライトプランと、当該過去のフライトプランの策定に影響を与えた情報と、を含む学習データに基づいて、予測モデルを生成するように構成された学習手段と、
フライトプランの策定に影響を与える情報と、前記予測モデルと、に基づいて、前記フライトプランを予測するように構成された予測手段と、
を備える、航空管制支援システム。
【請求項２】
前記フライトプランの予測結果と、当該予測結果に対して前記フライトプランの策定に影響を与える情報が影響した程度を示す寄与度と、を表示手段に表示させるように構成された表示制御手段
を更に備える、請求項１に記載の航空管制支援システム。
【請求項３】
複数の前記フライトプランの予測結果に基づいて、ある時間帯におけるある空域に計画される交通量の予測値である予測交通量を算出するように構成された交通量算出手段を更に備え、
前記表示制御手段は、前記予測交通量を、前記表示手段に表示するように構成される、
請求項２に記載の航空管制支援システム。
【請求項４】
前記表示制御手段は、前記予測交通量を、時間帯ごと、空域ごとに、前記表示手段に表示するように構成され、
時間帯および空域を指定する操作を受け付けるように構成された操作受付手段を更に備え、
前記表示制御手段は、指定された時間帯および空域に基づいて特定される前記フライトプランの予測結果と、当該予測結果に対する前記寄与度とを、前記表示手段に表示するように構成される、
請求項３に記載の航空管制支援システム。
【請求項５】
前記表示制御手段は、前記予測交通量を、時間帯ごと、空域ごとに、前記表示手段に表示するように構成され、
時間帯および空域を指定する操作を受け付けるように構成された操作受付手段と、
指定された時間帯および指定された空域に基づいて特定される複数の前記フライトプランの予測結果に基づき、当該複数の前記フライトプランの予測結果に対する前記寄与度の統計量を算出するように構成された統計量算出手段と、
を更に備え、
前記表示制御手段は、前記寄与度の統計量を、前記表示手段に表示するように構成される、
請求項３に記載の航空管制支援システム。
【請求項６】
前記操作受付手段は、統計量を指定する操作を受け付けるように構成され、
前記表示制御手段は、指定された統計量に基づいて特定される前記フライトプランの予測結果と、当該予測結果に対する前記寄与度とを、前記表示手段に表示するように構成される、
請求項５に記載の航空管制支援システム。
【請求項７】
過去のフライトプランと、当該過去のフライトプランの策定に影響を与えた情報と、を含む学習データに基づいて、予測モデルを生成し、
フライトプランの策定に影響を与える情報と、前記予測モデルと、に基づいて、前記フライトプランを予測する、
航空管制支援方法。
【請求項８】
過去のフライトプランと、当該過去のフライトプランの策定に影響を与えた情報と、を含む学習データに基づいて、予測モデルを生成し、
フライトプランの策定に影響を与える情報と、前記予測モデルと、に基づいて、前記フライトプランを予測する、
処理をコンピュータに実行させるプログラムを格納する、コンピュータが読み取り可能な記録媒体。
【発明の詳細な説明】
【技術分野】
【０００１】
本発明は、航空管制支援システム、航空管制支援方法、及び、記録媒体に関する。
【背景技術】
【０００２】
航空管制では、交通流管理を行う航空交通管理管制官や航空管制を行う管制官（以下、これらをまとめて、管制官等とも記載する）に監視や判断、管制指示に必要な情報を提供するための管制情報処理システムが用いられている。このような管制情報処理システムの一例が、非特許文献１に開示されている。図３２は、非特許文献１の管制情報処理システムの構成の一部を示す図である。管制情報処理システムは、飛行情報管理システム（ＦＤＭＳ：Flight Data Management System）、及び、航空交通流管理システム（ＡＴＦＭ：Air Traffic Flow Management system）を含む。【０００３】
ＦＤＭＳには、各航空会社から提示される各フライト（運航便）のフライトプランが蓄積される。フライトプランには、例えば、フライトにおける指示速度や指示高度、指示経路が記載される。各航空会社は、各フライトのスケジュールや、気象予測に基づき、フライトプランを策定し、実際のフライトの所定時間前までに提示する。【０００４】
ＡＴＦＭは、ＦＤＭＳに蓄積された各フライトのフライトプランに基づいて、各空域における交通量の予測値を算出し、グラフにより表示する。グラフでは、例えば、時間帯ごとに、空域への到着機、空域からの出発機、及び、空域の通過機に分類された交通量の予測値が、空域容量とともに表示される。航空交通管理管制官は、表示されたグラフに基づき、交通量の予測値が空域容量を超えると判断される場合に、フライトを遅延させる等の交通流制御を行う。【０００５】
なお、管制情報処理システムの関連技術として、特許文献１には、フライトプランに基づき、管制対象の航空機を予測し、当該管制対象の管制を行う端末を決定するシステムが開示されている。また、特許文献２には、フライトプランに基づき交通量を算出し、管制容量を超える場合に、変更経路案を生成する技術が開示されている。また、他の関連技術として、非特許文献２、及び、３には、データの同一のパターンや規則性を持つグループごとに予測モデルを生成する、異種混合学習技術が開示されている。
【先行技術文献】
【特許文献】
【０００６】
【特許文献１】特許第２８０１８８３号公報
【特許文献２】特開２００３−２９６９００号公報
【非特許文献】
【０００７】
【非特許文献１】蔭山康太、青山久枝、「航空交通管制を支援するシステム」、情報処理、Vol.53、No.10、2012年、p.1060-1065
【非特許文献２】藤巻遼平、森永聡、「ビッグデータ時代の最先端データマイニング」、ＮＥＣ技報、Vol.65、No.2、2012年、p.81-85
【非特許文献３】Riki Eto, et al.、「Fully-Automatic Bayesian Piecewise Sparse Linear Models」、Proceedings of the 17th International Conference on Artificial Intelligence and Statistics (AISTATS)、2014年、p.238-246
【発明の概要】
【発明が解決しようとする課題】
【０００８】
今後、航空需要の増加に伴い、各空域の交通量は更に増加することが予想される。このため、交通流制御の頻度が増加し、フライトの遅延時間の増加や、管制官等の負荷の増大が見込まれる。したがって、各航空会社から提示されるフライトプランをより早く把握し、交通流制御をより早く実行することで、交通流制御の頻度の低減をはかることが望まれる。しかしながら、上述の特許文献１、２や非特許文献１には、フライトプランをより早く把握するための技術は開示されていない。【０００９】
本発明の目的は、上述の課題を解決し、航空管制においてフライトプランをより早く把握できる、航空管制支援システム、航空管制支援方法、及び、記録媒体を提供することである。
【課題を解決するための手段】
【００１０】
本発明の一態様における航空管制支援システムは、過去のフライトプランと、当該過去のフライトプランの策定に影響を与えた情報と、を含む学習データに基づいて、予測モデルを生成するように構成された学習手段と、フライトプランの策定に影響を与える情報と、前記予測モデルと、に基づいて、前記フライトプランを予測するように構成された予測手段と、を備える。【００１１】
本発明の一態様における航空管制支援方法は、過去のフライトプランと、当該過去のフライトプランの策定に影響を与えた情報と、を含む学習データに基づいて、予測モデルを生成し、  フライトプランの策定に影響を与える情報と、前記予測モデルと、に基づいて、前記フライトプランを予測する。【００１２】
本発明の一態様におけるコンピュータが読み取り可能な記録媒体は、過去のフライトプランと、当該過去のフライトプランの策定に影響を与えた情報と、を含む学習データに基づいて、予測モデルを生成し、フライトプランの策定に影響を与える情報と、前記予測モデルと、に基づいて、前記フライトプランを予測する、処理をコンピュータに実行させるプログラムを格納する。
【発明の効果】
【００１３】
本発明の効果は、航空管制においてフライトプランをより早く把握できることである。
【図面の簡単な説明】
【００１４】
【図１】実施形態の特徴的な構成を示すブロック図である。
【図２】実施形態の構成を示すブロック図である。
【図３】実施形態における、コンピュータにより実現された航空管制支援システム３の構成を示すブロック図である。
【図４】実施形態における、学習処理を示すフローチャートである。
【図５】実施形態における、学習データ記憶部６０１に記憶される学習データの例を示す図である。
【図６】実施形態における、学習データに対する前処理の例を示す図である。
【図７】実施形態における、予測モデルの例を示す図である。
【図８】実施形態における、予測モデルの他の例を示す図である。
【図９】実施形態における、予測モデル記憶部６０３に記憶される予測モデルの例を示す図である。
【図１０】実施形態における、予測処理を示すフローチャートである。
【図１１】実施形態における、予測データ記憶部６０２に記憶される予測データの例を示す図である。
【図１２】実施形態における、予測データに対する前処理の例を示す図である。
【図１３】実施形態における、フライトプランの予測例を示す図である。
【図１４】実施形態における、予測結果記憶部６０４に記憶される、予測フライトプランの例を示す図である。
【図１５】実施形態における、予測根拠記憶部６０５に記憶される、予測根拠の例を示す図である。
【図１６】実施形態における、予測通過時刻の算出例を示す図である。
【図１７】実施形態における、通過時刻記憶部６０６に記憶される、予測通過時刻の例を示す図である。
【図１８】実施形態における、空域別交通量画面の表示処理を示すフローチャートである。
【図１９】実施形態における空域別交通量画面の例を示す図である。
【図２０】実施形態における、日別交通量画面の表示処理を示すフローチャートである。
【図２１】実施形態における日別交通量画面の例を示す図である。
【図２２】実施形態における、時間帯別交通量画面の表示処理を示すフローチャートである。
【図２３】実施形態における時間帯別交通量画面の例を示す図である。
【図２４】実施形態における、フライト情報画面の表示処理を示すフローチャートである。
【図２５】実施形態におけるフライト情報画面の例を示す図である。
【図２６】実施形態における、予測根拠統計量（日）画面の表示処理を示すフローチャートである。
【図２７】実施形態における予測根拠統計量（日）画面の例を示す図である。
【図２８】実施形態における、予測根拠統計量（時間帯）画面の表示処理を示すフローチャートである。
【図２９】実施形態における予測根拠統計量（時間帯）画面の例を示す図である。
【図３０】実施形態における、予測根拠画面の表示処理を示すフローチャートである。
【図３１】実施形態における予測根拠画面の例を示す図である。
【図３２】非特許文献１の管制情報処理システムの構成の一部を示す図である。
【発明を実施するための形態】
【００１５】
はじめに、実施形態におけるフライトプランについて説明する。航空交通では、各航空会社が、フライトプランを策定し、実際のフライトの所定時間前までに提示する。フライトプランには、フライトにおける航空機の経路、速度、高度等の情報が含まれる。ここで、経路は、出発空港と目的空港との間で通過する空域を示す。経路は、出発空港と目的空港との組に対して複数設定される。フライトプランでは、これら複数の経路の内のいずれかが指定される。航空機は、提示されたフライトプランに従って飛行する。航空会社は、予め決められているフライトのスケジュールや、フライトプランの策定時に得られる気象予測等を参照して、航空機が安全に飛行するために適切な経路、速度、高度等を決定する。以下、これらのスケジュールや気象予測等、フライトプランの策定時に参照される（用いられる）情報を「参照情報」とも記載する。参照情報は、フライトプランの策定に影響を与える情報である。
【００１６】
次に、実施形態の構成を説明する。図２は、実施形態の構成を示すブロック図である。図２を参照すると、実施形態における管制情報処理システム１は、データ管理装置２、航空管制支援システム３、及び、表示装置４を含む。データ管理装置２と航空管制支援システム３はネットワーク等により接続される。また、航空管制支援システム３と表示装置４もネットワーク等により接続される。
【００１７】
データ管理装置２は、上述のＦＤＭＳの一部でもよい。航空管制支援システム３、及び、表示装置４は、上述のＡＴＦＭの一部でもよい。
【００１８】
データ管理装置２は、航空会社から提示されたフライトプランや、フライトプラン策定時の参照情報等を記憶する。
【００１９】
航空管制支援システム３は、航空会社から提示されるフライトプランを予測し、予測したフライトプランに基づき、航空交通量を予測する。航空管制支援システム３は、学習部１００、予測部２００、可視化処理部３００、データ取得部４００、操作受付部５００、及び、データ記憶部６００を含む。
【００２０】
学習部１００は、学習データに基づいて、各フライトに対して提出されるフライトプランを予測するための予測モデルを生成する。学習データは、過去のフライトに対して航空会社から提出されたフライトプラン（過去のフライトプラン）と、当該過去のフライトプランに対する参照情報（過去のフライトプランの策定時に参照された情報）と、を含む。学習部１００は、機械学習技術を用いて、予測モデルを生成する。機械学習技術としては、例えば、非特許文献２、３に開示されている異種混合学習技術が用いられる。なお、学習データに基づいてフライトプランを予測するための予測モデルが生成できれば、決定木や線形回帰等、他の機械学習技術が用いられてもよい。
【００２１】
予測部２００は、フライトプラン予測部２０１、及び、通過時刻算出部２０２を含む。
【００２２】
フライトプラン予測部２０１は、予測データと予測モデルとに基づいて、各フライトに対して提出されるフライトプランを予測する。予測データは、予測対象のフライトプランに対する参照情報（予測対象のフライトプランの策定時に参照されるべき情報）を含む。以下、予測したフライトプランを予測フライトプランとも記載する。
【００２３】
通過時刻算出部２０２は、予測フライトプランに基づき、各フライトに対応する航空機が、経路上の各空域を通過する予測時刻を算出する。以下、予測した通過時刻を予測通過時刻とも記載する。
【００２４】
可視化処理部３００は、交通量算出部３０１、統計量算出部３０２、及び、表示制御部３０３を含む。
【００２５】
交通量算出部３０１は、予測フライトプランに基づいて、時間帯ごと、空域ごとに、計画される航空交通量の予測値を算出する。以下、予測した航空交通量を予測交通量とも記載する。
【００２６】
統計量算出部３０２は、参照情報の寄与度（または、影響度とも記載する）に関する所定の統計量を算出する。寄与度は、フライトプランの予測において、予測モデルの説明変数として用いられた参照情報の各属性が、予測結果に寄与（影響）した程度を示す。
【００２７】
表示制御部３０３は、予測フライトプランや予測交通量を、表示装置４に表示させる。表示制御部３０３は、予測フライトプランや予測交通量とともに、参照情報の各属性の寄与度や寄与度の統計量を表示させてもよい。
【００２８】
データ取得部４００は、データ管理装置２から、学習データや予測データを取得する。
【００２９】
操作受付部５００は、管制官等であるユーザから、予測交通量や、寄与度の統計量の表示に関する操作を受け付ける。
【００３０】
データ記憶部６００は、学習データ記憶部６０１、予測データ記憶部６０２、予測モデル記憶部６０３、予測結果記憶部６０４、予測根拠記憶部６０５、及び、通過時刻記憶部６０６を含む。
【００３１】
学習データ記憶部６０１は、データ取得部４００により取得された学習データを記憶する。
【００３２】
予測データ記憶部６０２は、データ取得部４００により取得された予測データを記憶する。
【００３３】
予測モデル記憶部６０３は、学習部１００により生成された予測モデルを記憶する。
【００３４】
予測結果記憶部６０４は、フライトプラン予測部２０１により予測された予測フライトプランを記憶する。
【００３５】
予測根拠記憶部６０５は、フライトプラン予測部２０１による予測において算出された参照情報の各属性の寄与度を、予測根拠として記憶する。
【００３６】
通過時刻記憶部６０６は、通過時刻算出部２０２により算出された、各フライトの、各空域の予測通過時刻を記憶する。
【００３７】
表示装置４は、表示制御部３０３による制御に従って、予測フライトプランや予測交通量を表示する。
【００３８】
なお、航空管制支援システム３は、ＣＰＵ（Central Processing Unit）とプログラムを記憶した記憶媒体を含み、プログラムに基づく制御によって動作するコンピュータであってもよい。
【００３９】
図３は、実施形態における、コンピュータにより実現された航空管制支援システム３の構成を示すブロック図である。
【００４０】
この場合、航空管制支援システム３は、ＣＰＵ１１、ハードディスクやメモリ等の記憶デバイス１２（記憶媒体）、入出力デバイス１３、及び、通信デバイス１４を含む。ＣＰＵ１１は、学習部１００、予測部２００、可視化処理部３００、データ取得部４００、及び、操作受付部５００を実現するためのプログラムを実行する。記憶デバイス１２は、これらのプログラムやデータ記憶部６００のデータを記憶する。入出力デバイス１３は、表示装置４へ表示情報を出力し、表示装置４から表示結果に対する操作情報を入力する。通信デバイス１４は、ネットワークを介して、データ管理装置２から学習データや予測データを受信する。また、通信デバイス１４は、表示装置４へ表示情報を送信し、表示装置４から操作情報を受信してもよい。また、入出力デバイス１３が、ユーザから、学習データや予測データを受信してもよい。
【００４１】
航空管制支援システム３の各構成要素の一部、または、全部は、汎用または専用の回路（circuitry）やプロセッサ、これらの組み合わせによって実現されてもよい。これらの回路やプロセッサは、単一のチップによって構成されてもよいし、バスを介して接続される複数のチップによって構成されてもよい。また、航空管制支援システム３の各構成要素の一部、または、全部は、上述した回路等とプログラムとの組み合わせによって実現されてもよい。
【００４２】
航空管制支援システム３の各構成要素の一部、または、全部が、複数の情報処理装置や回路等により実現される場合、複数の情報処理装置や回路等は、集中配置されてもよいし、分散配置されてもよい。例えば、情報処理装置や回路等は、クライアントアンドサーバシステム、クラウドコンピューティングシステム等、各々が通信ネットワークを介して接続される形態として実現されてもよい。
【００４３】
次に、実施形態の動作について説明する。
【００４４】
＜＜学習処理＞＞
はじめに、学習データに基づき予測モデルを生成する処理（学習処理）について説明する。
【００４５】
図５は、実施形態における、学習データ記憶部６０１に記憶される学習データの例を示す図である。学習データでは、図５に示すように、過去のフライトプランと当該過去のフライトプランに対する参照情報の組が、フライトＩＤ（Identifier）ごとに、所定の日数分記憶されている。
【００４６】
フライトプランでは、属性「経路」、「速度」、及び、「高度」の各々に対して、属性値が設定されている。また、参照情報では、属性「航空会社」、「出発予定時刻」、…、「目的空港の上昇流」の各々に対して、属性値が設定されている。参照情報の各属性の属性値は、フライトのスケジュールや、フライトプラン策定時の気象予測に基づき設定される。例えば、「航空会社」、「出発予定時刻」、「出発空港」、「目的空港」等は、フライトのスケジュールに基づき設定される。また、「出発／目的空港の風向」、「出発／目的空港の風速」、「出発／目的空港の気圧」、「出発／目的空港の気温」等は、フライトプラン策定時の気象予測に基づき設定される。
【００４７】
ここでは、図５に示すような学習データが、予め、データ取得部４００により取得され、学習データ記憶部６０１に記憶されていると仮定する。
【００４８】
図４は、実施形態における、学習処理を示すフローチャートである。
【００４９】
学習部１００は、学習データ記憶部６０１から学習データを取得する（ステップＳ１０１）。
【００５０】
例えば、学習部１００は、図５に示す学習データを取得する。
【００５１】
学習部１００は、取得した学習データに基づいて、フライトプランを予測するための予測モデルを生成する（ステップＳ１０２）。
【００５２】
ここで、学習部１００は、学習データに含まれるフライトプランの各属性を目的変数、参照情報の各属性を説明変数として、機械学習を行うことにより、予測モデルを生成する。また、学習部１００は、学習データに対して所定の前処理を行い、前処理後の学習データを用いて予測モデルを生成してもよい。前処理では、例えば、学習に必要な属性の選択や属性値に対する加工、変換が行われる。
【００５３】
図６は、実施形態における、学習データに対する前処理の例を示す図である。図６の例では、学習データに対して、予測モデルの説明変数として必要な属性の選択や、属性値の変換が行われている。なお、前処理として、更に、例えば、「日本上空の湿度の最大値」のように、複数箇所の属性に基づき、新たな属性が生成されてもよい。
【００５４】
ここで、フライトプラン（経路、速度、高度）の予測モデルは、例えば、出発空港と目的空港との各組の経路ごとに、その経路を飛行したフライトの学習データに基づき生成される。なお、予測モデルは、更に、時間帯や時期（季節や月）ごとに生成されてもよい。
【００５５】
図７、及び、図８は、実施形態における、予測モデルの例を示す図である。図７、及び、図８は、機械学習として、非特許文献２、３に開示されている異種混合学習技術を用いた場合の、フライトプランに含まれる経路、及び、速度を予測するための予測モデルの例である。また、図７、及び、図８は、出発空港Ａ、目的空港Ｂ、経路ＡＢ１に対する経路予測モデル、及び、速度予測モデルである。
【００５６】
図７を参照すると、経路予測モデルは、予測式決定用ツリー、予測式の形式、及び、各予測式のパラメータを含む。ここで、ツリーは、参照情報の属性値をもとに、予測式を決定するために使われる。経路予測モデルの予測式では、参照情報の各属性が説明変数Ｘｉ（ｉは１、…、Ｎの整数、Ｎは説明変数の数）として用いられ、経路判定のためのスコアＹｒｓが目的変数として用いられる。各予測式では、パラメータとして、説明変数Ｘｉに乗じる係数Ａｉ、定数（バイアス）Ｂが用いられる。予測式により算出されたスコアＹｒｓの値を、所定の閾値Ｙｔｈと比較することで、フライトが経路予測モデルに対応する経路を飛行するかどうかが判定される。
【００５７】
図８を参照すると、速度予測モデルは、経路予測モデルと同様に、予測式決定用ツリー、予測式の形式、及び、各予測式のパラメータを含む。速度予測モデルの予測式では、参照情報の各属性が説明変数Ｘｉとして用いられ、速度Ｙｖが目的変数として用いられる。なお、図示されていない高度予測モデルも、速度予測モデルと同様に、ツリー、予測式の形式、及び、各予測式のパラメータを含む。予測式では、高度Ｙｈが目的変数として用いられる。
【００５８】
例えば、学習部１００は、出発空港Ａ、目的空港Ｂ、経路ＡＢ１に対して、図７、及び、図８のように予測モデルを生成する。
【００５９】
学習部１００は、生成した予測モデルを、予測モデル記憶部６０３に保存する（ステップＳ１０３）。
【００６０】
図９は、実施形態における、予測モデル記憶部６０３に記憶される予測モデルの例を示す図である。
【００６１】
例えば、学習部１００は、図９のように、出発空港と目的空港との各組の経路ごとに、生成した予測モデルを保存する。
【００６２】
＜＜予測処理＞＞
次に、フライトプランを予測する処理（予測処理）について説明する。
【００６３】
図１１は、実施形態における、予測データ記憶部６０２に記憶される予測データの例を示す図である。予測データでは、図１１に示すように、フライトプランの予測対象のフライトに対する参照情報が、フライトＩＤと出発予定日の組ごとに記憶されている。予測対象のフライトは、予測交通量を算出する対象の日時、空域を通過する可能性のあるフライトである。例えば、予測対象のフライトは、一日、或いは、数日の内に各空港を発着する全フライトである。
【００６４】
参照情報では、学習データと同様に、各属性の属性値が設定される。参照情報の各属性の属性値は、フライトのスケジュールや、フライトプランの予測を実行する時点での気象予測に基づき決定される。
【００６５】
ここでは、図１１に示すような予測データが、予め、データ取得部４００により取得され、予測データ記憶部６０２に記憶されていると仮定する。
【００６６】
図１０は、実施形態における、予測処理を示すフローチャートである。
【００６７】
予測部２００のフライトプラン予測部２０１は、予測モデル記憶部６０３から、予測対象の各フライトの出発空港と目的空港との組に対する予測モデルを取得する（ステップＳ２０１）。
【００６８】
例えば、予測部２００は、図９の予測モデルを取得する。
【００６９】
フライトプラン予測部２０１は、予測データ記憶部６０２から、予測対象の各フライトに対する予測データを取得する（ステップＳ２０２）。
【００７０】
例えば、予測部２００は、図１１の予測データを取得する。
【００７１】
フライトプラン予測部２０１は、予測対象の各フライトについて、当該フライトの出発空港と目的空港との組に対する予測モデルに予測データを適用することにより、フライトプランを予測する（ステップＳ２０３）。
【００７２】
ここで、フライトプラン予測部２０１は、予測データに含まれる、参照情報の各属性の値を予測モデルの説明変数に適用し、目的変数の値を算出することにより、フライトプランを予測する。また、フライトプラン予測部２０１は、予測データに対して、学習データに対する前処理と同様の前処理を行い、予測モデルに適用する。
【００７３】
図１２は、実施形態における、予測データに対する前処理の例を示す図である。図１２の例では、予測データに対して、図６に示した学習データに対する前処理と同様の前処理が行われている。
【００７４】
図１３は、実施形態における、フライトプランの予測例を示す図である。図１３は、フライトプランに含まれる経路の予測例である。
【００７５】
例えば、フライトプラン予測部２０１は、フライトＩＤ「００１」、出発予定日「２０１６／０６／１９」のフライトについて、図１２の前処理後の予測データを、図７の経路予測モデルに適用する。ここで、フライトプラン予測部２０１は、図１３のように、予測式決定用ツリーを用いて、経路が「経路ＡＢ１」であるかどうかを判定のための予測式を「予測式１」と決定する。フライトプラン予測部２０１は、予測式１を用いて、経路を「経路ＡＢ１」と予測する。また、フライトプラン予測部２０１は、図８の速度予測モデルを用いて、速度を「４８０ｋｔ」と予測する。同様に、フライトプラン予測部２０１は、図示されていない高度予測モデルを用いて、高度を「３６０００ｆｅｅｔ」と予測する。
【００７６】
フライトプラン予測部２０１は、予測対象の各フライトについて得られた予測フライトプランを、予測結果記憶部６０４に保存する（ステップＳ２０４）。
【００７７】
図１４は、実施形態における、予測結果記憶部６０４に記憶される、予測フライトプランの例を示す図である。
【００７８】
例えば、フライトプラン予測部２０１は、図１４のように、予測対象の各フライトについて生成した予測フライトプランを保存する。
【００７９】
フライトプラン予測部２０１は、フライトプランの予測において得られた、参照情報の各属性の寄与度を、予測根拠として、予測根拠記憶部６０５に保存する（ステップＳ２０５）。
【００８０】
ここで、フライトプラン予測部２０１は、例えば、フライトプランの経路予測で用いた予測式における、説明変数Ｘｉと係数Ａｉとの積の値を、当該説明変数Ｘｉに対応する属性の寄与度として保存する。
【００８１】
例えば、フライトプラン予測部２０１は、図１３の経路の予測例における、説明変数Ｘ４と係数Ａ４の積「７．７」を、属性「出発予定日が日曜日」の寄与度として保存する。
【００８２】
図１５は、実施形態における、予測根拠記憶部６０５に記憶される、予測根拠の例を示す図である。
【００８３】
例えば、フライトプラン予測部２０１は、図１５のように、予測対象の各フライトについて算出した各属性の寄与度を、説明変数、係数の値とともに、予測根拠として保存する。
【００８４】
なお、フライトプラン予測部２０１は、属性の寄与度を表すことができれば、例えば、速度予測や高度予測で用いた予測式から寄与度を得てもよい。また、フライトプラン予測部２０１は、係数Ａｉを、説明変数Ｘｉに対応する属性の寄与度として用いてもよい。
【００８５】
通過時刻算出部２０２は、予測フライトプランに基づき、予測対象の各フライトの、各空域の予測通過時刻を算出する（ステップＳ２０６）。
【００８６】
ここで、通過時刻算出部２０２は、各フライトのスケジュール、及び、予測フライトプランに基づき、予測した経路における、各空域内の所定のポイントの予測通過時刻を算出する。
【００８７】
図１６は、実施形態における、予測通過時刻の算出例を示す図である。
【００８８】
例えば、フライトプラン予測部２０１は、フライトＩＤ「００１」、出発予定日「２０１６／０６／１９」のフライトについて、経路「経路ＡＢ１」上の各空域の予測通過時刻を速度「４８０ｋｔ」、高度「３６０００ｆｅｅｔ」を用いて図１６のように算出する。
【００８９】
フライトプラン予測部２０１は、予測対象の各フライトについて得られた、各空域の予測通過時刻を、通過時刻記憶部６０６に保存する（ステップＳ２０７）。
【００９０】
図１７は、実施形態における、通過時刻記憶部６０６に記憶される、予測通過時刻の例を示す図である。
【００９１】
例えば、フライトプラン予測部２０１は、図１７のように、予測対象の各フライトについて算出した、予測通過時刻を保存する。
【００９２】
＜＜予測結果表示処理＞＞
次に、予測結果を表示する処理（予測結果表示処理）について説明する。
【００９３】
＜空域別交通量画面の表示＞
はじめに、空域ごとの特定の時間帯の予測交通量を示す画面（空域別交通量画面）を表示する処理を説明する。
【００９４】
図１８は、実施形態における、空域別交通量画面の表示処理を示すフローチャートである。
【００９５】
可視化処理部３００は、予測交通量の表示対象の日、及び、時間帯の指定を受け付ける（ステップＳ３０１）。可視化処理部３００は、例えば、操作受付部５００を介して、ユーザから、表示対象の日、及び、時間帯の指定を受け付ける。
【００９６】
可視化処理部３００の交通量算出部３０１は、通過時刻記憶部６０６に記憶された、各フライトの各空域の予測通過時刻を参照し、各空域を、指定された日、及び、時間帯に通過することが予測されるフライトのフライトＩＤを取得する（ステップＳ３０２）。
【００９７】
交通量算出部３０１は、各空域について、取得したフライトＩＤの数をカウントすることにより、当該空域における指定された日、及び、時間帯の予測交通量を算出する（ステップＳ３０３）。
【００９８】
表示制御部３０３は、各空域の予測交通量を示す空域別交通量画面を生成し、表示装置４に表示させる（ステップＳ３０４）。
【００９９】
図１９は、実施形態における空域別交通量画面の例を示す図である。図１９の空域別交通量画面では、地図上の点線で分割された各領域が空域を示す。各空域には、空域ＩＤ（「Ｔ０１」、「Ｔ０２」、…等）が付与されている。また、各空域は、予測交通量に応じて、例えば、予測交通量が多い空域は濃い色、少ない空域は薄い色で示されている。また、予測交通量が空域容量を超えた空域が、特定の色で示されていてもよい。
【０１００】
図１９の空域別交通量画面では、次の画面として、空域を指定して、後述する日別交通量画面や、時間帯別交通量画面、フライト情報画面、予測根拠統計量（時間帯）画面を表示させるためのボタンが表示されている。
【０１０１】
ユーザは、図１９のような空域別交通量画面により、空域ごとの特定の時間帯の予測交通量を確認し、更に、次の画面により、特定の空域についての予測交通量の推移やフライトに関係する情報、予測根拠の統計量を確認できる。
【０１０２】
例えば、表示制御部３０３は、図１９のような空域別交通量画面を生成し、表示装置４に表示させる。
【０１０３】
＜日別交通量画面の表示＞
次に、特定の空域の日ごとの予測交通量を示す画面（日別交通量画面）を表示する処理を説明する。
【０１０４】
図２０は、実施形態における、日別交通量画面の表示処理を示すフローチャートである。
【０１０５】
可視化処理部３００は、予測交通量の表示対象の空域の指定を受け付ける（ステップＳ３１１）。可視化処理部３００は、例えば、上述の空域別交通量画面において指定された日、時間帯の予測交通量を表示中に、操作受付部５００を介して、空域の指定を受け付けてもよい。
【０１０６】
交通量算出部３０１は、通過時刻記憶部６０６に記憶された、各フライトの指定された空域の予測通過時刻を参照し、各日に、指定された空域を通過することが予測されるフライトのフライトＩＤを取得する（ステップＳ３１２）。
【０１０７】
交通量算出部３０１は、ステップＳ３１２において、各日について、取得したフライトＩＤの数をカウントすることにより、当該日における指定された空域の予測交通量を算出する（ステップＳ３１３）。
【０１０８】
更に、交通量算出部３０１は、学習データ記憶部６０１に記憶された学習データに含まれる過去のフライトプランに基づき、各日に、指定された空域を通過したフライトのフライトＩＤを取得する（ステップＳ３１４）。ここで、交通量算出部３０１は、上述のステップＳ２０６と同様の処理により、過去のフライトプランの経路、速度、高度に基づき、各空域の通過時刻を算出し、各日に、指定された空域を通過したフライトのフライトＩＤを取得する。
【０１０９】
交通量算出部３０１は、ステップＳ３１４において、各日について取得したフライトＩＤの数を、当該日における指定された空域の実績交通量としてカウントする（ステップＳ３１５）。
【０１１０】
表示制御部３０３は、各日の予測交通量と実績交通量とを示す日別交通量画面を生成し、表示装置４に表示させる（ステップＳ３１６）。
【０１１１】
図２１は、実施形態における日別交通量画面の例を示す図である。図２１の日別交通量画面では、各日の予測交通量が棒グラフで、過去の各日の実績交通量が折れ線グラフで示されている。また、図２１の日別交通量画面では、次の画面として、日を指定して、後述する時間帯別交通量画面や予測根拠統計量（日）画面を表示させるためのボタンが表示されている。
【０１１２】
ユーザは、図２１のような日別交通量画面により、例えば、特定の空域の日ごとの予測交通量と実績交通量との乖離を確認し、更に、次の画面により、特定の日についての予測交通量の推移や予測根拠の統計量を確認できる。
【０１１３】
例えば、表示制御部３０３は、図２１のような日別交通量画面を生成し、表示装置４に表示させる。
【０１１４】
＜時間帯別交通量画面の表示＞
次に、特定の空域の時間帯ごとの予測交通量を示す画面（時間帯別交通量画面）を表示する処理を説明する。
【０１１５】
図２２は、実施形態における、時間帯別交通量画面の表示処理を示すフローチャートである。
【０１１６】
可視化処理部３００は、予測交通量の表示対象の日、及び、空域の指定を受け付ける（ステップＳ３２１）。可視化処理部３００は、例えば、上述の空域別交通量画面において指定された日、時間帯の予測交通量を表示中に、操作受付部５００を介して、空域の指定を受け付けてもよい。
【０１１７】
交通量算出部３０１は、通過時刻記憶部６０６に記憶された、各フライトの各空域の予測通過時刻を参照し、指定された空域を、指定された日の各時間帯に通過することが予測されるフライトのフライトＩＤを取得する（ステップＳ３２２）。
【０１１８】
交通量算出部３０１は、各時間帯について取得したフライトＩＤの数をカウントすることにより、当該時間帯における指定された空域の予測交通量を算出する（ステップＳ３２３）。
【０１１９】
表示制御部３０３は、各時間帯の予測交通量を示す時間帯別交通量画面を生成し、表示装置４に表示させる（ステップＳ３２４）。
【０１２０】
図２３は、実施形態における時間帯別交通量画面の例を示す図である。図２３の時間帯別交通量画面では、各時間帯の予測交通量が、棒グラフで示されている。また、空域容量が、太線で示されている。また、図２３の時間帯別交通量画面では、次の画面として、時間帯を指定して、後述するフライト情報画面を表示させるためのボタンが表示されている。更に、時間帯を指定して、後述する予測根拠統計量（時間帯）画面を表示させるためのボタンや、後述する予測根拠統計量（日）画面を表示させるためのボタンも表示されている。
【０１２１】
ユーザは、図２３のような時間帯別交通量画面により、例えば、特定の空域の時間帯ごとの予測交通量を確認し、更に、次の画面により、特定の時間帯についてのフライトの詳細や、特定の時間帯や日の予測根拠の統計量を確認できる。
【０１２２】
例えば、表示制御部３０３は、図２３のような時間帯別交通量画面を生成し、表示装置４に表示させる。
【０１２３】
＜フライト情報画面の表示＞
次に、特定の空域の特定の時間帯におけるフライトに関する情報を示す画面（フライト情報画面）を表示する処理を説明する。
【０１２４】
図２４は、実施形態における、フライト情報画面の表示処理を示すフローチャートである。
【０１２５】
可視化処理部３００は、フライトに関する情報の表示対象の日、時間帯、及び、空域の指定を受け付ける（ステップＳ３３１）。可視化処理部３００は、例えば、上述の空域別交通量画面において空域ごとの指定された日、時間帯の予測交通量を表示中に、操作受付部５００を介して、空域の指定を受け付けてもよい。また、可視化処理部３００は、上述の時間帯別交通量画面において指定された空域の指定された日の予測交通量を表示中に、時間帯の指定を受け付けてもよい。
【０１２６】
表示制御部３０３は、通過時刻記憶部６０６に記憶された、各フライトの各空域の予測通過時刻を参照し、指定された空域を、指定された日、及び、時間帯に通過することが予測されるフライトのフライトＩＤを取得する（ステップＳ３３２）。
【０１２７】
表示制御部３０３は、取得したフライトＩＤについて、当該フライトに関する情報を取得する（ステップＳ３３３）。ここで、表示制御部３０３は、例えば、フライトに関する情報として、予測データ記憶部６０２に記憶された予測データを参照し、フライトのスケジュールに関する情報を取得してもよい。また、表示制御部３０３は、更に、予測結果記憶部６０４に記憶された、フライトの予測フライトプランを取得してもよい。
【０１２８】
表示制御部３０３は、取得した、フライトに関する情報を示すフライト情報画面を生成し、表示装置４に表示させる（ステップＳ３３４）。
【０１２９】
図２５は、実施形態におけるフライト情報画面の例を示す図である。図２５のフライト情報画面では、各フライトのスケジュール（出発空港、出発時刻、目的空港、到着時刻）、及び、予測フライトプラン（経路、速度、高度）が示されている。
【０１３０】
また、図２５のフライト情報画面では、次の画面として、フライトＩＤを指定して、後述する予測根拠画面を表示させるためのボタンや、後述する予測根拠統計量（時間帯）画面を表示させるためのボタンが表示されている。
【０１３１】
ユーザは、図２５のようなフライト情報画面により、例えば、特定の時間帯の各フライトに関する情報を確認し、更に、次の画面により、特定のフライトの予測根拠や、特定の時間帯の予測根拠の統計量を確認できる。
【０１３２】
例えば、表示制御部３０３は、図２５のようなフライト情報画面を生成し、表示装置４に表示させる。
【０１３３】
なお、表示制御部３０３は、更に、フライトの各空域の予測通過時刻等、データ記憶部６００に記憶された、フライトに関する他の情報を取得し、フライト情報画面に示してもよい。
【０１３４】
＜予測根拠統計量（日）画面の表示＞
次に、特定の日の予測根拠の統計量を示す画面（予測根拠統計量（日）画面）を表示する処理を説明する。
【０１３５】
図２６は、実施形態における、予測根拠統計量（日）画面の表示処理を示すフローチャートである。
【０１３６】
可視化処理部３００は、統計量の表示対象の日、及び、空域の指定を受け付ける（ステップＳ３４１）。可視化処理部３００は、例えば、上述の時間帯別交通量画面において指定された空域の指定された日の予測交通量を表示中に、以下の処理を行ってもよい。
【０１３７】
統計量算出部３０２は、通過時刻記憶部６０６に記憶された、各フライトの各空域の予測通過時刻を参照し、指定された空域を、指定された日に通過することが予測されるフライトのフライトＩＤを取得する（ステップＳ３４２）。
【０１３８】
統計量算出部３０２は、予測根拠記憶部６０５から、取得した各フライトＩＤのフライトプランの予測根拠を取得する（ステップＳ３４３）。
【０１３９】
統計量算出部３０２は、取得した予測根拠の統計量を算出する（ステップＳ３４４）。ここで、統計量算出部３０２は、参照情報の各属性について、寄与度の平均値や最大値、最小値を算出する。
【０１４０】
表示制御部３０３は、予測根拠の統計量を示す予測根拠統計量（日）画面を生成し、表示装置４に表示させる（ステップＳ３４５）。
【０１４１】
図２７は、実施形態における予測根拠統計量（日）画面の例を示す図である。図２７の予測根拠統計量（日）画面では、予測根拠の統計量として、各属性の寄与度の平均値、最大値、及び、最小値が示されている。
【０１４２】
また、図２７の予測根拠統計量（日）画面では、次の画面として、最大値や最小値を指定して、当該最大値や最小値に対応するフライトＩＤについて、後述する予測根拠画面を表示させるためのボタンが表示されている。
【０１４３】
ユーザは、図２７のような予測根拠統計量（日）画面により、特定の日の予測フライトプランの予測根拠を確認し、更に、次の画面により、寄与度が最大値や最小値等の特定の値を示したフライトの予測根拠を詳細に確認できる。
【０１４４】
例えば、表示制御部３０３は、図２７のような予測根拠統計量（日）画面を生成し、表示装置４に表示させる。
【０１４５】
なお、表示制御部３０３は、各属性の寄与度の分布を表すグラフを、予測根拠統計量（日）画面に示してもよい。この場合、分布グラフ上の特定の寄与度に対応するフライトＩＤについて、後述する予測根拠画面を表示させるためのボタンが表示されてもよい。これにより、寄与度が他のフライトと大きく異なる値を示したフライトの予測根拠を詳細に確認できる。
【０１４６】
＜予測根拠統計量（時間帯）画面の表示＞
次に、特定の時間帯の予測根拠の統計量を示す画面（予測根拠統計量（時間帯）画面）を表示する処理を説明する。
【０１４７】
図２８は、実施形態における、予測根拠統計量（時間帯）画面の表示処理を示すフローチャートである。
【０１４８】
可視化処理部３００は、統計量の表示対象の日、時間帯、及び、空域の指定を受け付ける（ステップＳ３５１）。可視化処理部３００は、例えば、上述の空域別交通量画面において空域ごとの指定された日、時間帯の予測交通量を表示中に、操作受付部５００を介して、空域の指定を受け付けてもよい。また、可視化処理部３００は、上述の時間帯別交通量画面において指定された空域の指定された日の予測交通量を表示中に、時間帯の指定を受け付けてもよい。更に、可視化処理部３００は、上述のフライト情報画面において指定された空域の指定された日、時間帯のフライトに関する情報を表示中に、以下の処理を行ってもよい。
【０１４９】
統計量算出部３０２は、通過時刻記憶部６０６に記憶された、各フライトの各空域の予測通過時刻を参照し、指定された空域を、指定された日、時間帯に通過することが予測されるフライトのフライトＩＤを取得する（ステップＳ３５２）。
【０１５０】
統計量算出部３０２は、予測根拠記憶部６０５から、取得した各フライトＩＤのフライトプランの予測根拠を取得する（ステップＳ３５３）。
【０１５１】
統計量算出部３０２は、取得した予測根拠の統計量を算出する（ステップＳ３５４）。ここで、統計量算出部３０２は、参照情報の各属性について、寄与度の平均値や最大値、最小値を算出する。
【０１５２】
表示制御部３０３は、予測根拠の統計量を示す予測根拠統計量（時間帯）画面を生成し、表示装置４に表示させる（ステップＳ３５５）。
【０１５３】
図２９は、実施形態における予測根拠統計量（時間帯）画面の例を示す図である。図２９の予測根拠統計量（時間帯）画面では、予測根拠の統計量として、各属性の寄与度の平均値、最大値、及び、最小値が示されている。
【０１５４】
また、図２９の予測根拠統計量（時間帯）画面では、次の画面として、最大値や最小値を指定して、当該最大値や最小値に対応するフライトＩＤについて、後述する予測根拠画面を表示させるためのボタンが表示されている。
【０１５５】
ユーザは、図２９のような予測根拠統計量（時間帯）画面により、特定の日、時間帯の予測フライトプランの予測根拠を確認し、更に、次の画面により、寄与度が最大値や最小値等の特定の値を示したフライトの予測根拠を詳細に確認できる。
【０１５６】
例えば、表示制御部３０３は、図２９のような予測根拠統計量（時間帯）画面を生成し、表示装置４に表示させる。
【０１５７】
なお、表示制御部３０３は、予測根拠統計量（日）画面と同様に、各属性の寄与度の分布を表すグラフを、予測根拠統計量（時間帯）画面に示してもよい。
【０１５８】
＜予測根拠画面の表示＞
次に、特定のフライトに関する予測根拠を示す画面（予測根拠画面）を表示する処理を説明する。
【０１５９】
図３０は、実施形態における、予測根拠画面の表示処理を示すフローチャートである。
【０１６０】
可視化処理部３００は、予測根拠の表示対象のフライトＩＤの指定を受け付ける（ステップＳ３６１）。可視化処理部３００は、上述のフライト情報画面において各フライトに関する情報を表示中に、操作受付部５００を介して、フライトＩＤの指定を受け付けてもよい。また、可視化処理部３００は、上述の予測根拠統計量（時間帯）画面や予測根拠統計量（日）画面において予測根拠の統計量を表示中に、統計量の指定を受け付け、当該統計量に対応するフライトＩＤについて、以下の処理を行ってもよい。
【０１６１】
表示制御部３０３は、予測根拠記憶部６０５に記憶された、指定されたフライトＩＤのフライトプランの予測根拠を取得する（ステップＳ３６２）。また、表示制御部３０３は、予測結果記憶部６０４に記憶された、指定されたフライトＩＤの予測フライトプランも取得してよい。
【０１６２】
表示制御部３０３は、取得した予測根拠を示す予測根拠表示画面を生成し、表示装置４に表示させる（ステップＳ３６３）。
【０１６３】
図３１は、実施形態における予測根拠画面の例を示す図である。図３１の予測根拠画面では、フライトの予測フライトプラン（経路、速度、高度）、及び、予測根拠（各属性の寄与度、説明変数、係数）が示されている。
【０１６４】
ユーザは、図３１のような予測根拠画面により、特定のフライトの予測フライトプランとその予測根拠を確認できる。
【０１６５】
例えば、表示制御部３０３は、図３１のような予測根拠画面を生成し、表示装置４に表示させる。
【０１６６】
以上により、実施形態の動作が完了する。
【０１６７】
次に、実施形態の特徴的な構成を説明する。図１は、実施形態の特徴的な構成を示すブロック図である。
【０１６８】
図１を参照すると、航空管制支援システム３は、学習部１００、及び、予測部２００を含む。学習部１００は、過去のフライトプランと、当該過去のフライトプランの策定に影響を与えた情報と、を含む学習データに基づいて、予測モデルを生成する。予測部２００は、フライトプランの策定に影響を与える情報と、予測モデルと、に基づいて、フライトプランを予測する。
【０１６９】
次に、実施形態の効果を説明する。
【０１７０】
上述の実施形態によれば、航空管制において、フライトプランをより早く把握できる。その理由は、以下による。すなわち、航空管制支援システム３は、過去のフライトプランと過去のフライトプランの策定に影響を与えた情報とを含む学習データに基づいて予測モデルを生成する。そして、航空管制支援システム３は、フライトプランの策定に影響を与える情報と予測モデルとに基づいてフライトプランを予測する。これにより、フライトプランに基づく交通流制御をより早く実行できるようになり、交通流制御の頻度の低減をはかることができる。そして、フライトの遅延時間を縮小し、管制官等の負荷を低減することができる。
【０１７１】
また、上述の実施形態によれば、航空管制において、管制官等が、フライトプランの予測根拠を把握できる。その理由は、航空管制支援システム３が、フライトプランの予測結果と、フライトプランの策定に影響を与える情報が当該予測結果に対して影響した程度を示す寄与度と、を表示するためである。これにより、管制官等は、フライトプランの予測結果が信頼できるか（納得できるか）どうかを、経験等と合わせて判断できる。また、管制官等に対して、フライトプランの予測結果に影響する要因について、新たな気づきを与えることができる。
【０１７２】
また、上述の実施形態によれば、航空管制において、交通量をより早く把握できる。その理由は、航空管制支援システム３が、複数のフライトプランの予測結果に基づいて、ある時間帯におけるある空域に計画される交通量の予測値である、予測交通量を算出し、表示するためである。
【０１７３】
以上、実施形態を参照して本願発明を説明したが、本願発明は上記実施形態に限定されるものではない。本願発明の構成や詳細に対しては、本願発明のスコープ内で当業者が理解し得る様々な変更をすることができる。
【０１７４】
この出願は、２０１６年８月１８日に出願された日本出願特願２０１６−１６０７２８を基礎とする優先権を主張し、その開示の全てをここに取り込む。
【符号の説明】
【０１７５】
１    管制情報処理システム
２    データ管理装置
３    航空管制支援システム
４    表示装置
１１    ＣＰＵ
１２    記憶デバイス
１３    入出力デバイス
１４    通信デバイス
１００    学習部
２００    予測部
２０１    フライトプラン予測部
２０２    通過時刻算出部
３００    可視化処理部
３０１    交通量算出部
３０２    統計量算出部
３０３    表示制御部
４００    データ取得部
５００    操作受付部
６００    データ記憶部
６０１    学習データ記憶部
６０２    予測データ記憶部
６０３    予測モデル記憶部
６０４    予測結果記憶部
６０５    予測根拠記憶部
６０６    通過時刻記憶部
【図１】
2018034142.tif 000003
【図２】
2018034142.tif 000004
【図３】
2018034142.tif 000005
【図４】
2018034142.tif 000006
【図５】
2018034142.tif 000007
【図６】
2018034142.tif 000008
【図７】
2018034142.tif 000009
【図８】
2018034142.tif 000010
【図９】
2018034142.tif 000011
【図１０】
2018034142.tif 000012
【図１１】
2018034142.tif 000013
【図１２】
2018034142.tif 000014
【図１３】
2018034142.tif 000015
【図１４】
2018034142.tif 000016
【図１５】
2018034142.tif 000017
【図１６】
2018034142.tif 000018
【図１７】
2018034142.tif 000019
【図１８】
2018034142.tif 000020
【図１９】
2018034142.tif 000021
【図２０】
2018034142.tif 000022
【図２１】
2018034142.tif 000023
【図２２】
2018034142.tif 000024
【図２３】
2018034142.tif 000025
【図２４】
2018034142.tif 000026
【図２５】
2018034142.tif 000027
【図２６】
2018034142.tif 000028
【図２７】
2018034142.tif 000029
【図２８】
2018034142.tif 000030
【図２９】
2018034142.tif 000031
【図３０】
2018034142.tif 000032
【図３１】
2018034142.tif 000033
【図３２】
2018034142.tif 000034
【手続補正書】
【提出日】平成31年1月23日(2019.1.23)
【手続補正２】
【補正対象書類名】特許請求の範囲
【補正対象項目名】全文
【補正方法】変更
【補正の内容】
【特許請求の範囲】
【請求項１】
過去のフライトプランと、当該過去のフライトプランの策定に影響を与えた情報と、を含む学習データに基づいて、予測モデルを生成するように構成された学習手段と、
フライトプランの策定に影響を与える情報と、前記予測モデルと、に基づいて、前記フライトプランを予測するように構成された予測手段と、
を備える、航空管制支援システム。
【請求項２】
前記フライトプランの予測結果と、当該予測結果に対して前記フライトプランの策定に影響を与える情報が影響した程度を示す寄与度と、を表示手段に表示させるように構成された表示制御手段
を更に備える、請求項１に記載の航空管制支援システム。
【請求項３】
複数の前記フライトプランの予測結果に基づいて、ある時間帯におけるある空域に計画される交通量の予測値である予測交通量を算出するように構成された交通量算出手段を更に備え、
前記表示制御手段は、前記予測交通量を、前記表示手段に表示するように構成される、
請求項２に記載の航空管制支援システム。
【請求項４】
前記表示制御手段は、前記予測交通量を、時間帯ごと、空域ごとに、前記表示手段に表示するように構成され、
時間帯および空域を指定する操作を受け付けるように構成された操作受付手段を更に備え、
前記表示制御手段は、指定された時間帯および空域に基づいて特定される前記フライトプランの予測結果と、当該予測結果に対する前記寄与度とを、前記表示手段に表示するように構成される、
請求項３に記載の航空管制支援システム。
【請求項５】
前記表示制御手段は、前記予測交通量を、時間帯ごと、空域ごとに、前記表示手段に表示するように構成され、
時間帯および空域を指定する操作を受け付けるように構成された操作受付手段と、
指定された時間帯および指定された空域に基づいて特定される複数の前記フライトプランの予測結果に基づき、当該複数の前記フライトプランの予測結果に対する前記寄与度の統計量を算出するように構成された統計量算出手段と、
を更に備え、
前記表示制御手段は、前記寄与度の統計量を、前記表示手段に表示するように構成される、
請求項３に記載の航空管制支援システム。
【請求項６】
前記操作受付手段は、統計量を指定する操作を受け付けるように構成され、
前記表示制御手段は、指定された統計量に基づいて特定される前記フライトプランの予測結果と、当該予測結果に対する前記寄与度とを、前記表示手段に表示するように構成される、
請求項５に記載の航空管制支援システム。
【請求項７】
過去のフライトプランと、当該過去のフライトプランの策定に影響を与えた情報と、を含む学習データに基づいて、予測モデルを生成し、
フライトプランの策定に影響を与える情報と、前記予測モデルと、に基づいて、前記フライトプランを予測する、
航空管制支援方法。
【請求項８】
過去のフライトプランと、当該過去のフライトプランの策定に影響を与えた情報と、を含む学習データに基づいて、予測モデルを生成し、
フライトプランの策定に影響を与える情報と、前記予測モデルと、に基づいて、前記フライトプランを予測する、
処理をコンピュータに実行させるプログラムを格納する、コンピュータが読み取り可能な記録媒体。
【国際調査報告】
2018034142.tif 000035
2018034142.tif 000036
2018034142.tif 000037
2018034142.tif 000038